(57)【要約】      （修正有）【課題】組み立て時に吐出口にずれが生じることのない送風機を提供する。【解決手段】送風機は、シャフトを回転させるモータと、複数の羽根部３２を含み、シャフトの回転に応じて回転するファンと、ブロアケース４と、を備える。ブロアケースは、吸込口４１１を有する上側ケースと、下側ケースとを有する。上側ケースと下側ケースはファンを覆って流路を構成する。ブロアケースは、ファンの回転により吸込口から流入した気体が流路を介して流出する吐出口４２１を含む。送風機において、吐出口を構成する環状の吐出口壁部は上側ケースまたは下側ケースに一体形成されている。【選択図】図２
0003229273.tif 000002
【実用新案登録請求の範囲】
【請求項１】
シャフトを回転させるモータと、
複数の羽根部を含み、前記シャフトの回転に応じて回転するファンと、
吸込口を有する第１ケースと、第２ケースとを有し、前記第１ケースと前記第２ケースは前記ファンを覆って流路を構成し、前記ファンの回転により前記吸込口から流入した気体が前記流路を介して流出する吐出口を含むブロアケースと、
を備え、
前記吐出口を構成する環状の吐出口壁部は前記第１ケースまたは前記第２ケースに一体形成されている送風機。
【請求項２】
前記吐出口壁部は少なくとも１つのリブを備える、
請求項１に記載の送風機。
【請求項３】
前記リブは、前記吐出口壁部の開口端縁と平行に延びている、
請求項２に記載の送風機。
【請求項４】
前記吐出口壁部は、矩形状であり、前記シャフトの軸心と平行な方向に対向する一対の第１壁と第２壁を備え、前記リブは前記第１壁または第２壁の少なくともいずれかに設けられている、
請求項１または２に記載の送風機。
【請求項５】
前記吐出口壁部は、前記シャフトの軸心と垂直な方向に対向する一対の第３壁と第４壁を備え、前記リブは前記第３壁または第４壁の少なくともいずれかに設けられている、
請求項４に記載の送風機。
【請求項６】
前記リブは、流入部と流出部うちの流入部側の位置に設けられている、
請求項２から５のいずれか１つに記載の送風機。
【請求項７】
前記吐出口壁部は、前記流路と反対側の外面に前記リブを備える、
請求項２から５のいずれか１つに記載の送風機。
【考案の詳細な説明】
【技術分野】
【０００１】
本開示は、送風機に関する。
【背景技術】
【０００２】
従来、送風機は、自動車などに搭載されて用いられる。一般に、送風機は、内部にモータを備え、モータによって回転した羽根が空気の流れを引き起こす。
【先行技術文献】
【特許文献】
【０００３】
【特許文献１】特願２０１６−５０７７０７号公報
【考案の概要】
【考案が解決しようとする課題】
【０００４】
ところで、一般に、送風機を構成するブロアケースは、上側ケースと下側ケースがそれぞれ独立に成形され、互いに嵌合し合うよう組み立てられる。上側ケースと下側ケースは、それぞれが吐出口壁部の一部である吐出口壁上半部と吐出口壁下半部を備え、上側ケースと下側ケースが組み立てられることで１つの吐出口壁部が形成される。
【０００５】
しかしながら、独立に成形される上側ケースと下側ケースが、どちらも設計との誤差なく作製され、且つ完全に嵌合することは容易ではなく、吐出口壁上半部の突合せ部と吐出口壁下半部の突合せ部にずれが生じる可能性が高い。吐出口壁上半部と吐出口下半部との突合せ部に予期せぬずれが生じることで、隙間が形成されたり、突合せ部が流路側へ突き出た突出部が形成されたりして、空気の流れを妨げ、本来持つ送風機の機能を果たせない恐れがある。
【０００６】
本開示は、上記の課題に鑑み、吐出口壁部が環状に一体成型された送風機を提供することを目的とする。
【課題を解決するための手段】
【０００７】
本開示の一様態に係る送風機は、シャフトを回転させるモータと、複数の羽根部を含み、前記シャフトの回転に応じて回転するファンと、ブロアケースと、を備える。
【０００８】
ブロアケースは、吸込口を有する第１ケースと、第２ケースとを有する。ブロアケースにおいて、前記第１ケースと前記第２ケースは前記ファンを覆って流路を構成する。ブロアケースは、前記ファンの回転により前記吸込口から流入した気体が前記流路を介して流出する吐出口を含む。
【０００９】
送風機において、前記吐出口を構成する環状の吐出口壁部は、前記第１ケースまたは前記第２ケースに一体形成されている。
【考案の効果】
【００１０】
本開示に係る送風機は、吐出口が環状に一体形成されている。したがって、組み立て時に吐出口壁部に隙間や突出部が生じることのない送風機を提供することができる。
【図面の簡単な説明】
【００１１】
【図１】実施の形態に係る送風機を示す断面図
【図２】実施の形態に係る送風機を示す斜視図
【図３】実施の形態に係る送風機を示す分解図
【考案を実施するための形態】
【００１２】
以下、本開示に係る送風機の実施の形態を、図面に基づき説明する。なお、下記に開示される実施の形態はすべて例示であって、本開示に係る送風機に制限を加える意図はない。
【００１３】
また、下記に開示される実施の形態では、必要以上の詳細な説明を省略する場合がある。例えば、既によく知られた事項についての詳細な説明や、実質的に同一の構成についての重複する説明を、省略する場合がある。これは、説明が不必要に冗長になるのを避けることで、当業者の理解を容易にするためである。
【００１４】
（実施の形態1）
（全体構成）
図１は、実施の形態１に係る送風機の断面図である。図１に示すように、実施の形態１に係る送風機１は、モータ２と、ファン３と、ブロアケース４と、を備える。
【００１５】
（モータ）
モータ２は、駆動部２１と、シャフト２２と、モータケース２３と、を有する。駆動部２１は、外部電力を用いた電磁誘導にて回転運動を行う。駆動部２１における回転運動の中心部には、棒状部材からなるシャフト２２が挿通されており、駆動部２１は回転運動をシャフト２２に伝える。モータケース２３は、モータ２の外郭をなすように形成されている。
【００１６】
（ファン）
ファン３は、ハブ部３１と、複数の羽根部３２と、を有する。ハブ部３１は、シャフト２２の軸心方向に関してモータ２と反対側に突出した形状であり、略中央部に挿通孔３１１を持つ。挿通孔３１１には、シャフト２２が軸心方向に挿通され、回転軸となる。複数の羽根部３２は、ハブ部３１から、シャフト２２に沿った方向に延伸している。
【００１７】
ファン３は、ネジによる螺合または圧入によりシャフト２２に固定されている。モータ２の回転運動によってシャフト２２が回転し、シャフト２２の回転に応じてファン３、すなわち羽根部３２が回転することで気流が発生する。発生した気流は、羽根部３２から外側に向かって吹き出す。
【００１８】
（ブロアケース）
図１から図３に示すように、ブロアケース４は、ファン３を覆うように構成される。ブロアケース４は、上側ケース４１と、下側ケース４２と、が嵌め合わされて構成される。具体的には、上側ケース４１には複数の係止凹部４１ａが設けられ、下側ケース４２の係止凹部４１ａに対応する位置には複数の係止凸部４２ａが設けられている。係止凹部４１ａに係止凸部４２ａが嵌め込まれて、いわゆるスナップフィットの手法で上側ケース４１と下側ケース４２は固定される。上側ケース４１、下側ケース４２は、それぞれ第１ケース、第２ケースの一例である。第１ケースと第２ケースは、ファンを覆って流路４４を構成する。上側ケース４１は、一面が開口した略円筒箱状の部材からなり、吸込口４１１を有する。吸込口４１１は、上側ケース４１の上面に回転軸を中心として略円形に開口するように形成されている。下側ケース４２は、上側ケース４１側が開口した略円筒箱状の部材から成り、吐出口４２１を備えている。
【００１９】
吐出口４２１は、環状の吐出口壁部４２１１により構成される。すなわち、流路の出口側の終端は吐出口壁部４２１１となっている。吐出口壁部 ４２１１は、流路の延びる方向に垂直な方向の断面が略矩形状となるように成形されている。尚、吐出口壁部 ４２１１の断面が略矩形状であることは必須の構成要素ではなく、円形、楕円形、台形、その他の多角形など、吐出口壁部 ４２１１が環状となっていれば形状は問わない。
【００２０】
従来、上側ケースに吐出口壁部の一部である吐出口壁上半部が備えられ、下側ケースに吐出口壁部の一部である吐出口壁下半部が備えられていた。そして、上側ケースと下側ケースを嵌め合わせることで吐出口壁部が形成されていた。そのため、吐出口壁上半部と吐出口壁下半部との突合せ部に隙間や突出部が形成され、そこから気体が漏れ出すおそれがあった。また、隙間や突出部をなくすために、吐出口壁上半部と吐出口壁下半部の嵌め合わせ（位置決め）を高精度にする必要があった。
【００２１】
しかし、本考案では、吐出口壁部４２１１が下側ケース４２に一体形成されていることから、嵌め合わせの際に位置決めに留意する必要がない。また、吐出口壁部４２１１が２つに分割されていないので、上側ケース４１と下側ケース４２を嵌め合わせても従来技術のように隙間や突出部が形成されない。したがって、気体の漏れ出しが発生せず、気流の妨げになることがない。
【００２２】
尚、吐出口壁部４２１１が下側ケース４２に一体形成されていることは必須の構成要素ではなく、吐出口壁部４２１１が上側ケース４１に一体形成されていてもよい。
【００２３】
上側ケース４１と下側ケース４２とを嵌め合わせたブロアケース４は、シャフト２２に沿った方向に形成されている側壁４３を備える。モータ２を取り囲むように、羽根部３２と側壁４３の間に位置する空間である流路４４には、羽根部３２が回転することによって、吸込口４１１から吸い込まれる気体の気流が生じる。
【００２４】
（動作の流れ）
改めて、送風機１の動作の流れを説明する。
【００２５】
初めに、吸込口４１１から吸込された空気（気体）は、モータ２の回転に伴って回転する羽根部３２から吹き出される。羽根部３２から吹き出された空気は、ブロアケース４で形成された流路４４を通って、吐出口４２１から吐き出される。
【００２６】
以下、図３を用いてさらに詳細な説明を加える。
【００２７】
本実施の形態における送風機１における吐出口壁部４２１１は、略矩形状であり、シャフト２２の軸心と平行な方向に対向する一対の上壁４２１ａ及び下壁４２１ｂと、シャフト２２の軸心と垂直な方向に対向する一対の左壁４２１ｃおよび右壁４２１ｄを備える。
【００２８】
上壁 ４２１ａと下壁４２１ｂは、シャフト２２の軸心と平行な方向に対向しているが、ここでいう「軸心と平行な方向」とは、軸心と平行な方向と垂直な方向のうち平行な方向、すなわち二者択一的に平行な方向に対向しているということを意味しているのであり、厳密に平行であることを意味しているのではない。同様に、左壁 ４２１ｃと右壁４２１ｄは、シャフト２２の軸心と垂直な方向に対向しているが、ここでいう「軸心と垂直な方向」とは、軸心と平行な方向と垂直な方向のうち垂直な方向、すなわち二者択一的に垂直な方向に対向しているということを意味しているのであり、厳密に垂直であることを意味しない。
【００２９】
また、吐出口壁部４２１１は、ファン３によって吹き出された空気が流入する側の流入部４２２と、流入部４２２から入った空気が外部に流出する側の流出部４２３を備える。吐出口壁部４２１１の外面（流路４４と反対側の面）には、流入部４２２と流出部４２３のうちの流入部４２２側の位置に、リブ４２４が吐出口壁部４２１１の開口端縁４２５と略平行に設けられている。上壁４２１ａ、下壁４２１ｂ、左壁４２１ｃ、右壁４２１ｄは、それぞれ第１壁、第２壁、第３壁、第４壁の一例である。シャフト２２の軸心と平行な方向に関し、第１壁は上側ケース４１側に位置、第２壁は下側ケース４２側に位置する。
【００３０】
尚、リブ４２４が流入部４２２と流出部４２３のうちの流入部４２２側の位置に設けられていることは必須の構成要素ではなく、上壁４２１ａのうちどこに設けられていてもよいし、複数個設けられていてもよい。
【００３１】
上側ケース４１は、流路４４の吐き出し側の端部に、吐出口嵌合部４１２を備える。吐出口嵌合部４１２は例えば、上壁４２１ａと、左壁４２１ｃまたは右壁４２１ｄの一部と嵌合するように成形され、組み立ての際に吐出口壁部４２１１と嵌合する。
【００３２】
尚、吐出口嵌合部４１２の形状に限定はなく、吐出口壁部４２１１と一部が嵌合すればよい。
【００３３】
吐出口嵌合部４１２は、リブ４２４と対応する位置にスリット４１３が設けられている。これにより、上側ケース４１と下側ケース４２を組み立てる際、リブ４２４とスリット４１３が嵌合するために上側ケース４１と下側ケース４２とがずれにくく、さらに組み立てが容易となる。
【００３４】
尚、リブ４２４が上壁のみに設けられていることは必須の構成要素ではなく、下壁４２１ｂ、または左壁４２１ｃ、または右壁４２１ｄに設けられ、吐出口嵌合部４１２の対応する位置にスリット４１３が設けられていてもよい。リブ４２４が下壁４２１ｂに設けられている場合、リブ４２４が上壁４２１ａに設けられている場合と同様の効果が得られる。また、リブ４２４が左壁４２１ｃまたは右壁４２１ｄに設けられている場合、上側ケース４１と下側ケース４２とがずれにくく、組み立てが容易となるだけでなく、流れる空気の漏れを防ぐことができるという効果がある。
【００３５】
尚、リブ４２４が吐出口壁部４２１１の開口端縁４２５に対して略平行に設けられていることは必須の構成要素ではなく、略垂直または任意の角度をなすようにしてもよい。これにより、上側ケース４１と下側ケース４２が嵌合した際、上側ケース４１と下側ケース４２とがずれにくく、組み立てが容易となる。
【００３６】
尚、吐出口壁部４２１１にリブ４２４が備えられ、吐出口嵌合部４１２にスリット４１３が備えられていることは必須の構成要素ではなく、吐出口壁部４２１１にスリット４１３が備えられ、吐出口嵌合部４１２にリブ４２４が備えられていてもよい。これにより、吐出口壁部４２１１にリブ４２４が備えられ、吐出口嵌合部４１２にスリット４１３が備えられている場合と同様の効果が得られる。
【００３７】
図３では、上壁４２１ａにおける流路４４と反対側の外面にリブ４２４を設けているが、上壁４２１ａのうち、流路４４に面した内面にリブ４２４を設けることもできる。これにより、吐出口嵌合部４１２が吐出口壁部４２１１の内面から嵌合する場合にも上側ケース４１と下側ケース４２とがずれにくく、位置決め及び組み立てが容易となる。この際、吐出口嵌合部４１２においても、リブ４２４に対応する位置にスリット４１３が設けられている。
【００３８】
尚、吐出口壁部４２１１の流路４４に面した内面に設けられたリブ４２４は、上壁４２１ａ以外の壁、即ち、下壁４２１ｂ、または左壁４２１ｃ、または右壁４２１ｄに設けられていてもよい。
【００３９】
尚、リブ４２４及びスリット４１３が設けられていることは必須の構成要素ではない。
【００４０】
本開示の一様態に係る送風機１は、シャフト２２を回転させるモータ２と、複数の羽根部３２を含み、シャフト２２の回転に応じて回転するファン３と、ブロアケース４と、を備える。
【００４１】
ブロアケース４は、吸込口４１１を有する上側ケース４１と、下側ケースとを有する。ブロアケース４において、第１ケースと第２ケースはファン３を覆って流路４４を構成する。ブロアケース４は、ファン３の回転により吸込口４１１から流入した気体が流路４４を介して流出する吐出口４２１を含む。
【００４２】
送風機１において、吐出口４２１を構成する環状の吐出口壁部４２１１は上側ケース４１または下側ケース４２に一体形成されている。
【００４３】
これにより、組み立てが容易で且つ、組み立て（篏合）によって隙間や突出部が形成されないので、気流の妨げになることがない送風機を提供することができる。
【００４４】
また、上記様態において吐出口壁部４２１１は少なくとも１つのリブ４２４を備えてもよい。
【００４５】
これにより、組み立て容易で且つ、組み立てによって接続部がずれることがないので、気流の妨げになることがなく、さらに上側ケース４１と下側ケース４２とがずれない送風機を提供することができる。
【００４６】
また、上記様態においてリブ４２４は、吐出口壁部４２１１の開口端縁４２５と平行に延びていてもよい。
【００４７】
これにより、組み立てが容易で且つ、組み立てによって吐出口４２１における接続部が左右にずれることがないので、気流の妨げになることがなく、さらに上側ケース４１と下側ケース４２とがずれない送風機を提供することができる。また、送風機にダクトを取り付ける際、ダクトの位置決めとしてリブ４２４を用いることができる。
【００４８】
また、上記様態において吐出口壁部４２１１は、矩形状であり、シャフト２２の軸心と平行な方向に対向する一対の左壁４２１ｃと右壁４２１ｄを備え、リブ４２４は左壁４２１ｃまたは右壁４２１ｄの少なくともいずれかに設けられていてもよい。
【００４９】
これにより、組み立ての際、リブ４２４がスリット４１３を誘導するため、組み立てが容易で且つ、組み立てによって吐出口４２１における接続部が左右にずれることがないので、気流の妨げになることがなく、さらに上側ケース４１と下側ケース４２とがずれない送風機を提供することができる。
【００５０】
吐出口壁部４２１１は、シャフト２２の軸心と垂直な方向に対向する一対の上壁４２１ａと下壁４２１ｂを備え、リブ４２４は上壁４２１ａまたは下壁４２１ｂの少なくともいずれかに設けられていてもよい。
【００５１】
これにより、組み立てが容易で且つ、組み立てによって吐出口４２１における接続部が左右にずれることがないので、気流の妨げになることがなく、また、上側ケース４１と下側ケース４２とがずれず、さらに、空気の漏れを防ぐことができる送風機を提供することができる。
【００５２】
前記リブは、流入部４２２と流出部４２３うちの流入部４２２側の位置に設けられていてもよい。
【００５３】
これにより、組み立てが容易で且つ、組み立てによって吐出口４２１における接続部が左右にずれることがないので、気流の妨げになることがなく、さらに上側ケース４１と下側ケース４２とがずれない送風機を提供することができる。また、送風機にダクトを取り付ける際、嵌合のばらつきを防ぐことができる。
【００５４】
また、吐出口４２１は環状の外側に前記リブを備えてもよい。
【００５５】
これにより、組み立てが容易で且つ、組み立てによって吐出口４２１における接続部が左右にずれることがないので、気流の妨げになることがなく、さらに上側ケース４１と下側ケース４２とがずれない送風機を提供することができる。
【産業上の利用可能性】
【００５６】
本考案における送風機は、上側ケースと下側ケースの組み立てを容易にする。さらに、組み立てによって、吐出口壁上半部と吐出口下半部との突合せ部に隙間や突出部が形成されることがないので、気流の妨げになることがない。つまり、組み立てが容易で且つ、効率のよい送風機を提供することができる。よって、本考案における送風機は特に、効率が重要視される自動車用送風機に適している。
【符号の説明】
【００５７】
１    送風機
２    モータ
２１    駆動部
２２    シャフト
２３    モータケース
３    ファン
３１    ハブ部
３１１    挿通孔
３２    羽根部
４    ブロアケース
４１    上側ケース
４１ａ    係止凹部
４１１    吸込口
４１２    吐出口嵌合部
４１３    スリット
４２    下側ケース
４２ａ    係止凸部
４２１    吐出口
４２１１    吐出口壁部
４２１ａ    上壁
４２１ｂ    下壁
４２１ｃ    左壁
４２１ｄ    右壁
４２５    開口端縁
４２２    流入部
４２３    流出部
４２４    リブ
４３    側壁
４４    流路
【図１】
0003229273.tif 000003
【図２】
0003229273.tif 000004
【図３】
0003229273.tif 000005
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
シャフトを回転させるモータと、
複数の羽根部を含み、前記シャフトの回転に応じて回転するファンと、
吸込口を有する第１ケースと、第２ケースとを有し、前記第１ケースと前記第２ケースは前記ファンを覆って流路を構成し、前記ファンの回転により前記吸込口から流入した気体が前記流路を介して流出する吐出口を含むブロアケースと、
を備え、
前記吐出口を構成する環状の吐出口壁部は前記第１ケースまたは前記第２ケースに一体形成されている送風機。
【請求項２】
前記吐出口壁部は少なくとも１つのリブを備える、
請求項１に記載の送風機。
【請求項３】
前記リブは、前記吐出口壁部の開口端縁と平行に延びている、
請求項２に記載の送風機。
【請求項４】
前記吐出口壁部は、矩形状であり、前記シャフトの軸心と平行な方向に対向する一対の第１壁と第２壁を備え、前記リブは前記第１壁または第２壁の少なくともいずれかに設けられている、
請求項２または３に記載の送風機。
【請求項５】
前記吐出口壁部は、前記シャフトの軸心と垂直な方向に対向する一対の第３壁と第４壁を備え、前記リブは前記第３壁または第４壁の少なくともいずれかに設けられている、
請求項４に記載の送風機。
【請求項６】
前記リブは、流入部と流出部のうちの流入部側の位置に設けられている、
請求項２から５のいずれか１つに記載の送風機。
【請求項７】
前記吐出口壁部は、前記流路と反対側の外面に前記リブを備える、
請求項２から５のいずれか１つに記載の送風機。